(57)【要約】【課題】多数の警報が発生した場合であっても、オペレータが警報の内容を適切に把握することを可能にする。【解決手段】実施形態に係る監視制御装置１は、警報検出手段３と、履歴管理手段４と、表示手段１４とを具備する。警報検出手段３は、複数の被監視対象装置２１〜２ｎからの信号に基づいて、複数の警報の発生を検出する。履歴管理手段４は、警報検出手段３によって検出された複数の警報のそれぞれに対する警報発生履歴を示す複数の警報履歴データを生成する。表示手段１４は、複数の警報履歴データに基づいて、複数の警報の表示順序を決定し、表示順序にそって複数の警報の一覧画面を表示する。【選択図】      図１
2012059151.tif 000002
【特許請求の範囲】
【請求項１】
複数の被監視対象装置からの信号に基づいて、複数の警報の発生を検出する警報検出手段と、
前記警報検出手段によって検出された前記複数の警報のそれぞれに対する警報発生履歴を示す複数の警報履歴データを生成する履歴管理手段と、
前記複数の警報履歴データに基づいて、前記複数の警報の表示順序を決定し、前記表示順序にそって前記複数の警報の一覧画面を表示する表示手段と
を具備する監視制御装置。
【請求項２】
警報グループと、当該警報グループに所属する複数の警報とを関連付けた警報グループ情報を記憶する警報グループ記憶手段をさらに具備し、
前記表示手段は、前記警報グループに所属している前記複数の警報のうち所定数又は所定割合の警報が発生した場合に、前記警報グループに所属している前記複数の警報に代えて前記警報グループを表示する
ことを特徴とする請求項１記載の監視制御装置。
【請求項３】
前記警報グループ記憶手段は、他の警報グループと、当該他の警報グループに所属する複数の警報とを関連付けた他の警報グループ情報を記憶し、
前記表示手段は、前記警報グループと前記他の警報グループとの間で、予め設定されているグループ警報グレード、所属する警報の数、所属する前記複数の警報の前記警報履歴データのうちの少なくとも一つに基づいて、表示順序を決定する
ことを特徴とする請求項２記載の監視制御装置。
【請求項４】
前記表示手段は、前記警報履歴データに基づいて、警報発生頻度と過去の警報発生時刻と累積警報発生回数のうちの少なくとも一つを求め、前記警報発生頻度と前記過去の警報発生時刻と前記累積警報発生回数とのうちの少なくとも一つに基づいて、前記表示順序を決定する
ことを特徴とする請求項１乃至請求項３のいずれか１項に記載の監視制御装置。
【請求項５】
複数の被監視対象装置からの信号に基づいて、複数の警報の発生を検出する警報検出手段と、
警報グループと、当該警報グループに所属する複数の警報とを関連付けた警報グループ情報を記憶する警報グループ記憶手段と、
前記警報グループに所属している前記複数の警報のうち所定数又は所定割合の警報が発生した場合に、警報一覧画面において、前記警報グループに所属している前記複数の警報に代えて前記警報グループを表示する表示手段と
を具備する監視制御装置。
【発明の詳細な説明】
【技術分野】
【０００１】
本発明の実施形態は、各種施設で発生した警報をオペレータに通知する監視制御装置に関する。
【背景技術】
【０００２】
例えばビルなどのような各種施設の監視を支援する監視制御システムは、被監視対象装置から得られる信号の状態変化を検出し、モニター又は警報鳴動装置を通じて、オペレータに対して設備の状態の表示又は警報の通知を行う。監視制御システムは、警報の発生又は復帰の状態を記憶する。
【０００３】
この従来の監視制御システムにおいて、オペレータは、警報一覧画面を表示させ、現在発生中の警報及びオペレータが未確認の警報の内容を確認することができる。警報一覧画面によって表示される各警報に対する警報データは、警報発生時刻、警報グレード、警報の発生しているポイントのＩＤ又は名称、監視区分、警報の内容などを含む。
【０００４】
警報一覧画面では、未確認であり、警報グレードが高く、新しく発生した警報データから順番に表示される。また、警報データは、ポイントのＩＤ又は名称、監視区分に応じた順序で並べ替えることもできる。
【０００５】
このように、警報一覧画面は、発生中及び未確認の警報が複数存在する場合に、オペレータが複数の警報データを確認するために用いられる。
【０００６】
しかしながら、停電又は火災などにより短時間で多数の警報が発生した場合、オペレータが警報一覧画面からどのポイントで警報が発生しているかを短時間に確認することは困難になる。
【０００７】
また、警報一覧画面においては、警報グレード又は監視区分などの項目に基づいて、重要度の高い警報データを優先的に一覧の上位に表示させることが可能であるが、同じグレード又は同じ監視区分を持つ警報データが多数発生すると、重要度が同じ警報データの中から、オペレータが優先して対処すべき警報データを選択することが困難となる。
【先行技術文献】
【特許文献】
【０００８】
【特許文献１】特開２００７−１７９５２６号公報
【発明の概要】
【発明が解決しようとする課題】
【０００９】
本発明の実施形態は、多数の警報が発生した場合であっても、オペレータが警報の内容を適切に把握することを可能にする監視制御装置を提供することを目的とする。
【課題を解決するための手段】
【００１０】
実施形態によれば、監視制御装置は、警報検出手段、履歴管理手段、表示手段を具備する。警報検出手段は、複数の被監視対象装置からの信号に基づいて、複数の警報の発生を検出する。履歴管理手段は、警報検出手段によって検出された複数の警報のそれぞれに対する警報発生履歴を示す複数の警報履歴データを生成する。表示手段は、複数の警報履歴データに基づいて、複数の警報の表示順序を決定し、表示順序にそって複数の警報の一覧画面を表示する。
【図面の簡単な説明】
【００１１】
【図１】実施形態に係る監視制御装置の構成の一例を示すブロック図。
【図２】警報履歴データベースに管理されている警報履歴データの一例を示す図。
【図３】警報グループデータベースに管理されている警報グループデータの一例を示す図。
【図４】警報データベースに管理されているポイント警報データと、グループ警報データとの一例を示す図。
【図５】実施形態に係る監視制御装置の警報一覧画面の表示処理の前半部分の一例を示すフローチャート。
【図６】実施形態に係る監視制御装置の警報一覧画面の表示処理の後半部分の一例を示すフローチャート。
【発明を実施するための形態】
【００１２】
以下、図面を参照しながら本発明の実施形態について説明する。なお、以下の説明において、略または実質的に同一の機能及び構成要素については、同一符号を付し、必要に応じて説明を行う。
【００１３】
本実施形態においては、同じ監視区分又は同じ警報グレードの警報が多数発生した場合であっても、警報発生履歴から求められる例えば警報発生頻度又は前回警報発生時刻などの基準に基づいて、表示の優先順位を決定する監視制御装置について説明する。
【００１４】
さらに、本実施形態においては、多数の警報が発生した場合に、この多数の警報をグループに集約し、グループ単位で警報発生をオペレータに通知する監視制御装置について説明する。
【００１５】
なお、本実施形態では、警報が発生した場合の監視を例として説明するが、例えば状態不明が発生した場合についても同様の監視を行うことができる。
【００１６】
図１は、本実施形態に係る監視制御装置の構成の一例を示すブロック図である。
【００１７】
本実施形態に係る監視制御装置１は、被監視対象装置２１〜２ｎから受信された信号に基づいて警報の発生を検出し、警報一覧画面によりオペレータに警報を通知する。監視制御装置１は、発生した警報及びオペレータが未確認の警報の警報履歴データを記憶する。監視制御装置１は、警報履歴データに基づいて、同一警報の警報発生頻度、同一警報の前回警報発生時刻などを求め、警報発生頻度又は前回警報発生時刻に基づいて、警報の表示順位を決定し、警報一覧画面を表示する。
【００１８】
さらに、監視制御装置１は、複数のポイント（信号ポイント）を警報グループに関連付けたデータを記憶しており、警報グループ内のポイントの警報発生状態に基づいて、警報グループの警報発生を警報画面一覧に表示する。
【００１９】
監視制御装置１は、警報検出部３、警報履歴管理部４、警報履歴データベース５、警報グループ管理部６、警報グループデータベース７、警報通知部８、警報処理部９を含む。
【００２０】
さらに、警報処理部９は、警報データ管理部１０、警報データベース１１、警報履歴照合部１２、警報グループ照合部１３、警報一覧表示部１４を含む。
【００２１】
監視制御装置１は、外部の複数の被監視対象装置２１〜２ｎ、警報鳴動装置１５、モニター１６、操作入力装置１７と接続される。
【００２２】
被監視対象装置２１〜２ｎは、例えばビル、プラント、工場などの施設に設置されている空調機、変電設備、照明、セキュリティ装置などのような、各種の設備に備えられる装置である。
【００２３】
警報検出部３は、被監視対象装置２１〜２ｎから送信された設備の状態を示す状態信号を受信し、状態信号に基づいて、警告の発生（異常）を検出する。
【００２４】
また、警報検出部３は、警告の発生を検出した場合に、警報通知部８に対して、警報発生要求を通知する。
【００２５】
さらに、警報検出部３は、被監視対象装置２１〜２ｎから受信された状態信号に基づいて、発生された警報に対する復帰を検出する。
【００２６】
警報検出部３は、警報発生及び復帰の事象を示す警報データを、警報履歴管理部４及び警報データ管理部１０に通知する。本実施形態において、警報データは、例えば、警報発生時刻、警報グレード、ポイントＩＤ及び名称、監視区分、警報の内容を含む。
【００２７】
警報履歴管理部４は、警報検出部３から通知された警報データに基づいて、警報の発生履歴を示す警報履歴データを警報履歴データベース５に登録・管理する。
【００２８】
警報通知部８は、警報鳴動装置１５の警報の発報及びモニターに対する警報の表示を管理する。具体的には、警報通知部８は、警報検出部３から警報発生要求を受けた場合に、警報鳴動装置１５に対して警報の発生指令を送り、モニター１６に異常及び警報発生の表示指令を送る。
【００２９】
警報鳴動装置１５は、警報通知部８から警報の発生指令を受けた場合に、監視制御装置１のオペレータなどに対して、音声、音、光を用いて被監視対象装置２１〜２ｎのいずれかに異常が発生したことを通知する装置である。
【００３０】
モニター１６は、警報通知部８から受けた異常及び警報発生の表示指令に基づいて、警報の発生した被監視対象装置２１〜２ｎのいずれかについての異常及び警報発生を表示する。
【００３１】
さらに、モニター１６は、操作入力装置１７によるオペレータの操作に基づいて、警報処理部９の警報一覧表示部１４によって生成された警報一覧画面を表示する。
【００３２】
操作入力装置１７は、オペレータによる操作・指示などを入力するインタフェース装置である。
【００３３】
例えば、操作入力装置１７は、オペレータの操作にしたがって、集約させたい複数の警報のポイントと、これらのポイントが属する警報グループとを関連付けた警報グループデータを、警報グループ管理部６に通知し、警報グループ管理部６により、警報グループデータを警報グループデータベース７に登録させる。
【００３４】
また、例えば、操作入力装置１７は、オペレータの操作にしたがって、警報一覧表示部１４に、警報データベース１１に登録されているデータに基づいて生成される警報一覧画面を読み出させる。
【００３５】
また、例えば、操作入力装置１７は、オペレータによって確認された警報を、警報データ管理部１０に通知する。
【００３６】
警報履歴データベース５は、警報データに基づいて生成された警報履歴データを記憶する。
【００３７】
また、警報履歴データベース５は、記憶した警報履歴データを、要求に応じて、警報履歴参照部１２に送る。
【００３８】
図２は、警報履歴データベース５に管理されている警報履歴データの一例を示す図である。
【００３９】
警報履歴データ１８１〜１８ｘは、警報履歴ＩＤ、警報発生時刻、警報復帰時刻、警報グレード、ポイントＩＤ、ポイント名称、監視区分、警告内容などの項目を含む。
【００４０】
警報履歴ＩＤは、警報発生の履歴を識別するためのＩＤである。
【００４１】
警報発生時刻は、警報の発生した時刻を示す。
【００４２】
警報復帰時刻は、警報の復帰した時刻を示す。
【００４３】
警報グレードは、ポイントごとに、事前に定められている警報の重要度を示す。例えば、警報グレードは、重、中、軽などのいずれかの種別を示す。
【００４４】
ポイントＩＤは、警報の発生したポイントを識別するためのＩＤを示す。このポイントＩＤとして、被監視対象装置２１〜２ｎの識別情報を用いるとしてもよい。
【００４５】
ポイント名称は、警報の発生したポイントの名称を示す。このポイント名称として、被監視対象装置２１〜２ｎの名称を用いるとしてもよい。
【００４６】
監視区分は、監視制御装置１において、ポイントごとに定められている分類を示す。例えば、監視区分は、照明、空調、セキュリティなどの設備種別などを示す。
【００４７】
警報内容は、発生した警報の内容の説明を含む。例えば、警報内容として、被監視対象装置２１〜２ｎの状態が用いられる。
【００４８】
警報グループ管理部６は、オペレータの操作入力装置１７に対する操作・指示にしたがって、複数のポイントと、これらの複数のポイントの所属する警報グループとの関係を示す警報グループデータを、警報グループデータベース７に登録する。
【００４９】
本実施形態において、警報グループ管理部６は、警報データベース１１を参照し、各警報グループに所属する複数のポイントの警報状態を、警報グループデータベース７に登録する。
【００５０】
警報グループデータベース７は、警報グループ管理部６から受けた警報グループデータを記憶する。また、警報グループデータベース７は、記憶した警報グループデータを、要求に応じて、警報グループ照合部１３に送る。
【００５１】
図３は、警報グループデータベース７に管理されている警報グループデータの一例を示す図である。
【００５２】
警報グループデータ１９１〜１９ｙは、警報グループＩＤ、警報グループ名称、グループ内ポイントＩＤ、グループ内ポイント警報状態などの項目を含む。
【００５３】
警報グループＩＤは、警報グループを識別するＩＤを示す。
【００５４】
警報グループ名称は、警報グループの名称を示す。
【００５５】
グループ内ポイントＩＤは、警報グループデータ１９１〜１９ｙに対応する警報グループに所属する複数のポイントのポイントＩＤを示す。
【００５６】
グループ内ポイント警報状態は、警報グループデータ１９１〜１９ｙに対応する警報グループに所属する各ポイントの状態（例えば、警報発生又は警報復帰）を示す。
【００５７】
グループ警報グレードは、事前に定められている警報グループの重要度を示す。
【００５８】
警報データ管理部１０は、警報検出部３から受けた警報データの内容を、ポイント警報データに含め、ポイント警報データを警報データベース１１に登録・管理する。
【００５９】
具体的には、警報データ管理部１０は、警報が発生中であり、この警報がオペレータによって確認未完了である場合に、この警報に対応するポイント警報データを警報データベース１１に登録する。
【００６０】
なお、警報データ管理部１０は、警報が復帰され、オペレータによる確認が完了した場合に、この警報に対応するポイント警報データを、警報データベース１１から削除してもよい。
【００６１】
また、警報データ管理部１０は、ポイントの種別又はポイントからの信号の種別によっては、オペレータの確認が完了していなくても、警報が復帰された時点で、この警報に対応するポイント警報データを、警報データベース１１から削除してもよい。
【００６２】
図４は、警報データベース１１に管理されているポイント警報データと、グループ警報データとの一例を示す図である。
【００６３】
ポイント警報データ２０１〜２０ｚは、ポイント単位で、警報の発生及び復帰に関する情報を持つ。
【００６４】
具体的には、ポイント警報データ２０１〜２０ｚは、警報状態、警報確認状態、警報発生時刻、警報グレード、ポイントＩＤ、ポイント名称、警報グループＩＤ、警報グループ名称、監視区分、警報内容、警報発生頻度、前回警報発生時刻などの項目を含む。
【００６５】
警報状態は、ポイント警報データ２０１〜２０ｚの示すポイントに対する警報が発生中であるか、復帰したかの状態を示す。
【００６６】
警報確認状態は、ポイント警報データ２０１〜２０ｚの示す警報がオペレータによって確認済みであるか、未確認であるかを示す。
【００６７】
警報発生時刻は、ポイント警報データ２０１〜２０ｚの示す警報の発生時刻を示す。
【００６８】
警報グレードは、ポイント警報データ２０１〜２０ｚの示す警報の発生時刻を示す。
【００６９】
ポイントＩＤ及びポイント名称は、ポイント警報データ２０１〜２０ｚの示す警報の発生したポイントを識別するためのＩＤ及び名称を示す。
【００７０】
警報グループＩＤ及び名称は、ポイント警報データ２０１〜２０ｚに対応するポイントが所属する警報グループを識別するＩＤ及び名称を示す。
【００７１】
監視区分は、ポイント警報データ２０１〜２０ｚに対応するポイントの分類を示す。
【００７２】
警報内容は、発生した警報の内容の説明を含む。
【００７３】
警報発生頻度は、予め設定された、過去から警報発生時刻までの期間内に、同一のポイントで警報が発生した回数を示す。
【００７４】
前回警報発生時刻は、同一のポイントで発生した警報の前回の警報発生時刻を示す。換言すれば、この前回警報発生時刻は、前に発生した同一警報の警報発生時刻のうちで最新の警報発生時刻を示す。
【００７５】
グループ警報データ２１１〜２１ｖは、グループ単位で、警報の発生及び復帰に関する情報を持つ。
【００７６】
具体的には、グループ警報データ２１１〜２１ｖは、グループ警報状態、警報グループＩＤ、警報グループ名称、グループ内ポイントＩＤ、グループ内ポイント警報状態、グループ警報発生時刻、グループ警報グレードなどの項目を含む。
【００７７】
グループ警報状態は、グループ警報データ２１１〜２１ｖの示す警報グループについて、警報が発生中であるか、復帰したかの状態を示す。
【００７８】
本実施形態では、警報グループ内の全てのポイントで警報が発生された場合に、グループ警報状態が警報発生中になるとする。また、本実施形態では、警報グループ内の全てのポイントで警報が復帰されている場合に、グループ警報状態が復帰になるとする。グループ警報状態が復帰になると、グループ警報データ２１１〜２１ｖは、警報データベース１１から削除されるとしてもよい。
【００７９】
なお、警報グループ内の所定数又は所定割合のポイントで警報が発生された場合に、この警報グループのグループ警報状態が警報発生を示すとしてもよい。また、警報グループ内の所定数又は所定割合のポイントが復帰された場合に、この警報グループのグループ警報状態が復帰を示すとしてもよい。
【００８０】
また、警報グループ内の特定のポイントで警報が発生された場合に、この警報グループのグループ警報状態が警報発生を示すとしてもよい。また、警報グループ内の特定のポイントが復帰された場合に、この警報グループのグループ警報状態が復帰を示すとしてもよい。
【００８１】
警報グループＩＤ及び名称は、グループ警報データ２１１〜２１ｖの示す警報グループを識別するためのＩＤ及び名称を示す。
【００８２】
グループ内ポイントＩＤは、グループ警報データ２１１〜２１ｖの示す警報グループに所属する複数のポイントのポイントＩＤを示す。
【００８３】
グループ内ポイント警報状態は、警報グループデータ２１１〜２１ｖの警報グループに所属する各ポイントの状態（例えば、各ポイントの警報発生又は警報復帰）を示す。
【００８４】
グループ警報発生時刻は、警報グループ内で最後に警報が発生したポイントの警報発生時刻を示す。
【００８５】
グループ警報グレードは、グループ警報データ２１１〜２１ｖの示す警報グループの重要度を示す。
【００８６】
警報履歴照合部１２は、警報履歴データベース５を参照し、警報データ管理部１０によって警報データベース１１に登録されたポイント警報データに対して、警報履歴データ１８１〜１８ｘから求められる警報発生頻度と、前回警報発生時刻とを登録する。
【００８７】
警報グループ照合部１３は、警報グループデータベース７を参照し、警報データ管理部１０によって警報データベース１１に登録されたポイント警報データ２０１〜２０ｚに対応さするポイントが、警報グループデータベース７における警報グループデータ１９１〜１９ｙの示す警報グループのいずれかに所属する場合に、ポイント警報データ２０１〜２０ｚの警報グループＩＤ及び名称を登録する。
【００８８】
さらに、警報グループ照合部１３は、警報グループデータベース７を参照し、警報グループに対する警報が発生している場合に、警報グループＩＤ、警報グループ名称、グループ内ポイントＩＤ、グループ内ポイント警報状態、グループ警報グレードを含む当該警報グループのグループ警報データを登録する。
【００８９】
例えば、警報グループ照合部１３は、警報グループデータベース７の警報グループデータ１９１〜１９ｙに基づいて、警報グループ内のすべてのポイント（所定数又は所定割合以上のポイントでもよい）が警報発生中の場合、当該警報グループに対応するグループ警報データを、警報データベース１１に登録する。
【００９０】
警報一覧表示部１３は、オペレータによる操作入力装置１７の操作・指示にしたがって、警報データベース１１を参照し、警報一覧画面をモニター１６に表示する。
【００９１】
この警報一覧表示部１４による警報一覧画面の表示において、ポイント警報データに対応するポイントが、グループ警報データに対応する警報グループに所属しており、このグループ警報データのグループ警報状態が警報発生を示す場合、警報一覧表示部１４は、この警報グループに所属する複数のポイントのポイント警報データに代えて、この警報グループのグループ警報データを表示する。これにより、複数のポイントの警報を、この複数のポイントが所属している警報グループの警報に集約させることができる。
【００９２】
警報一覧表示部１４による警報一覧画面の表示において、ポイント警報データ２０１〜２０ｚは、警報確認状態、警報グレード、警報発生時刻、ポイントＩＤ、監視区分、警報発生頻度、前回警報発生時刻のうちの少なくとも一つに基づいて、表示順序が決定され、この決定された表示順序にそって並び替えられる。
【００９３】
また、グループ警報データ２１１〜２１ｖは、グループ警報発生時刻、警報グループＩＤ、グループ警報グレードのうちの少なくとも一つに基づいて、表示順序が決定され、この決定された表示順序にそって並び替えられる。
【００９４】
さらに、ポイント警報データ２０１〜２０ｚのうちの少なくとも一つとグループ警報データ２１１〜２１ｖのうちの少なくとも一つとが混在して警報一覧画面に表示される場合においては、ポイント警報データとグループ警報データとの間でも、発生時刻、グレードに基づいて、表示順序が決定され、並び替えが行われる。
【００９５】
警報一覧表示部１４は、オペレータが警報一覧画面のグループ警報データを選択すると、このグループ警報データに対応する警報グループに所属する各ポイントのポイント警報データを表示する。これにより、オペレータは、集約されたポイント警報データを確認することができる。
【００９６】
図５は、本実施形態に係る監視制御装置１の警報一覧画面の表示処理の前半部分の一例を示すフローチャートである。
【００９７】
図６は、本実施形態に係る監視制御装置１の警報一覧画面の表示処理の後半部分の一例を示すフローチャートである。
【００９８】
警報検出部３は、例えばセンサなどのような被監視対象装置２１〜２ｎから受信した信号の状態に基づいて、警報の発生又は復帰を検出する。警報検出部３は、警報の発生を検出すると、警報通知部８に対して警報発生要求を送る。また、警報検出部３は、警報データ管理部１０及び警報履歴管理部４に対して、発生した警報の警報データを送る（ステップＳ１）。
【００９９】
警報履歴管理部４は、警報検出部３から受けた警報データに基づいて、発生した警報の警報履歴データを、警報履歴データベース５に登録する（ステップＳ２Ａ）。
【０１００】
警報データ管理部１０は、警報検出部３から受けた警報データに基づいて、この警報データに含まれている情報（例えば、警報状態、警報発生時刻、警報グレード、ポイントＩＤ、ポイント名称、監視区分、警報内容など）を、警報データベース１１のポイント警報データに登録する（ステップＳ２Ｂ）。
【０１０１】
なお、ステップＳ２ＡとステップＳ２Ｂとの実行順序は自由に選択でき、同時に実行されるとしてもよい。
【０１０２】
警報データの情報がポイント警報データに登録された後、警報履歴照合部１２は、発生した警報より前に、同一のポイントにおいて発生した同一警報の警報履歴データを検索する（ステップＳ３）。
【０１０３】
警報履歴照合部１２は、同一のポイントにおける前の警報履歴データが、予め設定された過去設定期間内に警報履歴データベース５に登録されているか否か（過去設定期間内に同一の警報が発生しているか否か）判断する（ステップＳ４）。
【０１０４】
過去設定期間内に、同一ポイントに対応する前の警報履歴データが登録されている場合、警報履歴照合部１２は、警報履歴データベース５の警報履歴データに基づいて、警報発生頻度（過去一定期間内に当該ポイントで警報が発生した回数）、前回警報発生時刻（過去の警報発生時刻のうちで直近の警報発生時刻）を求め、警報データベース１１のポイント警報データに登録する（ステップＳ５）。
【０１０５】
過去設定期間内に、同一ポイントに対応する前の警報履歴データが登録されていない場合、処理は、ステップＳ６に移動し、警報データベース１１のポイント警報データにおいて、警報発生頻度及び前回警報発生時刻は空白となる。
【０１０６】
警報履歴照合部１２によって警報履歴データベース５が参照された後、警報グループ照合部１３は、警報グループデータベース７を参照する。そして、警報グループ照合部１３は、オペレータによって警報グループ管理部６を介して警報グループデータベース７に予め登録されている警報グループデータ１９１〜１９ｙのグループ内ポイントＩＤが、発生した警報のポイント警報データに含まれているポイントＩＤと同じか否か（発生した警報が警報グループに所属しているか否か）判断する（ステップＳ６）。
【０１０７】
発生した警報が警報グループに所属している場合、警報グループ照合部１３は、発生した警報のポイント警報データに、警報グループデータの警報グループＩＤと警報グループ名称とを登録する（ステップＳ７）。
【０１０８】
発生した警報が警報グループに所属していない場合、処理は、ステップＳ８に移動し、警報データベースのポイント警報データにおいて、警報グループＩＤ及び警報グループ名称は空白となる。
【０１０９】
このように、上記ステップＳ１において警報データ管理部１０が警報検出部３から警報データを受けた後、警報履歴照合部１２によるポイント警報データの警報発生頻度及び前回警報発生時刻の登録と、警報グループ照合部１３によるポイント警報データの警報グループ及び名称の登録を経て、警報データベース１１のポイント警報データの登録が完了される。
【０１１０】
次に、警報グループ管理部６は、警報データベース１１のポイント警報データを参照し、警報グループデータベース７に登録されている警報グループデータにおけるグループ内ポイント警報状態を登録する（ステップＳ８）。
【０１１１】
警報グループ照合部１３は、警報グループデータベース７に登録されている警報グループデータのグループ内ポイント警報状態を参照し、警報グループ内の全てのポイントが警報発生状態か否か判断する（ステップＳ９）。
【０１１２】
警報グループ照合部１３は、警報グループデータベース７に登録されている警報グループデータの示す警報グループで、全てのポイントが新たに警報発生状態となった場合に、新たに警報発生状態となった警報グループに対応するグループ警報データを、警報データベース１１に登録する（ステップＳ１０）。
【０１１３】
警報グループデータの示す警報グループで全てのポイントが新たに警報発生状態となっていない場合、処理はステップＳ１１に移動し、新たなグループ警報データは登録されない。
【０１１４】
警報一覧表示部１４は、オペレータからの警報一覧画面の表示要求を受けた場合に、警報データベース１１を参照し、ポイント警報データに対応するポイントが所属するグループのグループ警報データが登録されている場合には、このポイント警報データ及び同じグループに属するポイント警報データの代わりにグループ警報データを用いることで集約を行い、警報一覧画面をモニター１６に表示する（ステップＳ１１）。
【０１１５】
以上説明した本実施形態においては、事前に複数のポイントが警報グループとして登録され、その警報グループ内のすべてのポイントで警報が発生した場合に、警報グループ内の各ポイントの警報がグループ単位の警報にまとめられる。
【０１１６】
これにより、地震又は火災などのように、警報が短期間に多数発生した場合に、警報一覧画面に表示される警報を集約させることができる。オペレータは現在発生中の多数の警報又は未確認の警報を迅速に確認することができ、オペレータの確認作業を省力化できる。
【０１１７】
本実施形態においては、警報発生中又は未確認の警報について、監視履歴データ１８１〜１８ｘに基づいて、ポイントにおける過去設定期間での警報発生頻度、又は、ポイントの前回警報発生時刻が求められる。そして、各ポイントの過去設定期間での警報発生頻度、又は、ポイントの前回警報発生時刻に基づいて、警報一覧画面での警報の表示順序を決定することができる。
【０１１８】
これにより、同一の警報グレード、同一の監視区分を持つ警報についても、この警報発生頻度又は前回警報発生時刻などに基づいて、警報一覧画面に表示される順序を細かく設定することができる。オペレータは、警報に対処する優先順位を明確に把握し、迅速な処置を行うことができる。
【０１１９】
本実施形態では、警報グループデータ１９１〜１９ｙに、グループ警報グレードが予め設定されており、この設定されているグループ警報グレードに基づいて、警報グループの表示順序が決定されている。しかしながら、警報グループの設定は他の手法を用いるとしてもよい。例えば、警報グループに所属するポイントの数に基づいて、警報グループ間の表示順序が決定されるとしてもよい。また、例えば、警報グループに所属するポイントの警報グレードのうち、もっとも高い警報グレードが警報グループのグループ警報グレードとして用いられるとしてもよい。さらに、例えば、警報グループに所属するポイントの警報グレードのうち、もっとも数の多い警報グレード又は警報グレードの平均値が警報グループのグループ警報グレードとして用いられるとしてもよい。
【０１２０】
本実施形態では、警報発生頻度及び前回警報発生時刻に基づいて、同じ警報グレードのポイントの表示順序が決定されるとしている。しかしながら、他の基準を用いて、同じ警報グレードのポイントの表示順序が決定されるとしてもよい。例えば、前々回の警報発生時刻など、前回よりも前のいずれかの警報発生時刻に基づいて、警報発生状態の表示順序が決定されるとしてもよい。また、例えば、累積の警報発生回数に基づいて、警報発生状態の表示順序が決定されるとしてもよい。
【０１２１】
本実施形態において、被監視対象装置２１〜２ｎと監視制御装置１とは、ネットワーク経由で接続されており、監視制御装置１は広域監視を行うとしてもよい。
【０１２２】
本実施形態に係る監視制御装置１の各構成要素は、自由に組み合わせてもよく、分離してもよい。例えば、警報検出部３と警報データ管理部１０は組み合わせてもよい。警報履歴管理部４と警報履歴照合部１２とは組み合わせてもよい。警報グループ管理部６と警報グループ照合部１３とは組み合わせてもよい。警報通知部８と警報一覧表示部１４とは組み合わせてもよい。
【０１２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２４】
１…監視制御装置１、２１〜２ｎ…被監視対象装置、３…警報検出部、４…警報履歴管理部、５…警報履歴データベース、６…警報グループ管理部、７…警報グループデータベース、８…警報通知部、９…警報処理部、１０…警報データ管理部、１１…警報データベース、１２…警報履歴照合部、１３…警報グループ照合部、１４…警報一覧表示部、１５…警報鳴動装置、１６…モニター、１７…操作入力装置、１８１〜１８ｘ…警報履歴データ、１９１〜１９ｙ…警報グループデータ、２０１〜２０ｚ…ポイント警報データ、２１１〜２１ｖ…グループ警報データ
【図１】
2012059151.tif 000003
【図２】
2012059151.tif 000004
【図３】
2012059151.tif 000005
【図４】
2012059151.tif 000006
【図５】
2012059151.tif 000007
【図６】
2012059151.tif 000008